(57)【要約】【課題】ＬＥＤユニットが交換自在なＬＥＤ照明装置において、ＬＥＤユニットの放熱性を向上させると共に、装置を薄くコンパクトにする。【解決手段】ＬＥＤ照明装置１は、ＬＥＤユニット２と、このＬＥＤユニット２が装着されるユニット保持体３とを備えており、ＬＥＤユニット２は、ＬＥＤ等を収納する筐体２０と、ＬＥＤに給電するためのコネクタ４１ａとを備え、ユニット保持体３は、ＬＥＤユニットの筐体２０の一部が装置の外観を形成するようにＬＥＤユニット２を着脱自在に保持するフロントカバー３１及びアーム部３２と、コネクタ４１ａに接続されると共に電源に接続されるコネクタ４１ｂとを備える。ＬＥＤユニットの筐体２０の一部が装置の外観の一部を形成するので、ＬＥＤユニット２を覆う部材点数等を削減して、装置を薄くコンパクトにすることができると共に、ＬＥＤユニットの筐体２０の一部が直接、外気に触れるので放熱性が向上する。【選択図】図１
2006210040.tif 000002
【特許請求の範囲】
【請求項１】
ＬＥＤユニットと、該ＬＥＤユニットが装着されるユニット保持体とを備え、前記ＬＥＤユニットを交換自在としたＬＥＤ照明装置において、
前記ＬＥＤユニットは、ＬＥＤを実装する基板を収納する筐体と、前記ＬＥＤに給電するための第１の電気接続部とを備え、
前記ユニット保持体は、前記ＬＥＤユニットの筐体の一部が装置の外観を形成するようにＬＥＤユニットを着脱自在に保持する保持フレームと、前記第１の電気接続部に接続されると共に電源に接続される第２の電気接続部とを備えたことを特徴とするＬＥＤ照明装置。
【請求項２】
前記第１の電気接続部は、前記ＬＥＤユニットの筐体に形成された接点であり、
前記第２の電気接続部は、前記ユニット保持体に形成された接点であり、
前記ユニット保持体の保持フレームは、前記ＬＥＤユニットの前記ユニット保持体への装着時に、該ＬＥＤユニットの筐体の一部に当接してＬＥＤユニットをスライドさせつつＬＥＤユニットの保持位置までガイドするガイド部を有し、該保持位置で、接点である前記第１の電気接続部及び前記第２の電気接続部を接触させることを特徴とする請求項１に記載のＬＥＤ照明装置。
【請求項３】
前記ＬＥＤユニットは、前記ＬＥＤに給電する複数本の配線及び該配線を覆う中空状の配線カバーを固定する配線固定部を備え、
前記配線固定部は、
円筒の側面に形成された雄ネジと、該円筒の軸方向に沿って形成された、前記配線及び前記配線カバーが挿通する第１の挿通孔とを有するネジ部材と、
前記ＬＥＤユニットの筐体から突出形成され、前記ネジ部材と嵌合する凹部と、前記ネジ部材の雄ネジと対向する凹部の側面に形成された雌ネジと、前記凹部の底面に形成された、前記配線が挿通する第２の挿通孔とを有する突出部と、
前記配線が挿通する第３の挿通孔を有し、前記突出部の凹部に挿入されるパッキンと、
前記配線カバーの先端の外径が該配線カバーの他の部分の外径より大きくなるように、配線カバーの先端に形成された鍔部と、
を備え、
前記突出部の凹部の底面側から、前記パッキン、前記鍔部、前記ネジ部材の順に配置し、
前記ネジ部材を前記凹部に嵌合することにより、前記ネジ部材で前記パッキン及び前記鍔部を押圧して、パッキンを凹部の底面に圧接すると共に、鍔部をパッキンとネジ部材で挟持して前記配線カバーを固定することを特徴とする請求項１に記載のＬＥＤ照明装置。
【発明の詳細な説明】
【技術分野】
【０００１】
本発明は、ＬＥＤユニットが交換自在なＬＥＤ照明装置に関する。
【背景技術】
【０００２】
従来のこの種のＬＥＤ照明装置の例を図１５及び図１６に示す。それぞれのＬＥＤ照明装置１０１は、ＬＥＤユニット１０２と、このＬＥＤユニット１０２が装着されるユニット保持体１０３とを備えている。図１５は、ＬＥＤユニット１０２の光出射面１２０ａを除くＬＥＤユニット１０２の前面、側面及び背面が、ユニット保持体１０３となるフロントカバー１０３ａ及びバックカバー１０３ｂで覆われた例であり、図１６は、ＬＥＤユニット１０２がユニット保持体１０３内に収容された例である。ＬＥＤユニット１０２は、ＬＥＤを実装する基板を収納する筐体１２０と、ＬＥＤに給電するための電気接続部１４１ａとを備えており、この電気接続部１４１ａがユニット保持体１０３側の電気接続部１４１ｂに接続された状態でユニット保持体１０３に装着される。図１７には、ＬＥＤユニット１０２の他の例として、電気接続部１４１ａとして口金を有するタイプを示している。
【０００３】
このような従来のＬＥＤ照明装置１０１では、ＬＥＤユニット１０２の装着時において、ＬＥＤユニット１０２の全ての面、又はＬＥＤユニット１０２の光出射面１２０ａを除くＬＥＤユニット１０２の前面、側面及び背面が、カバー１０３ａ，１０３ｂ等で覆われており、ＬＥＤユニット１０２の筐体１２０はＬＥＤ照明装置１０１の外観に表れていなかった。
【０００４】
なお、筒部と底部を一体にした形状を有し、筒部の内部にＬＥＤを実装する基板が設置される装置本体を備えたＬＥＤ照明装置において、ＬＥＤの前方に配置されるレンズユニットを保持するレンズユニット保持部を、装置本体の筒部の内側に設けることにより、ＬＥＤが発生する熱を効率よく外部に放熱することができるようにしたＬＥＤ照明装置等も知られている（例えば、特許文献１参照）。
【０００５】
【特許文献１】特開２００４−３２７１３８号公報
【発明の開示】
【発明が解決しようとする課題】
【０００６】
上述した図１５及び図１６に示したようなＬＥＤ照明装置１０１においては、ＬＥＤユニット１０２の装着時において、ＬＥＤユニット１０２の全ての面、又はＬＥＤユニット１０２の光出射面１２０ａを除くＬＥＤユニット１０２の前面、側面及び背面がカバー１０３ａ，１０３ｂ等で覆われていたため、ＬＥＤで発生した熱を効率よく放熱することができなかった。このため、ＬＥＤの温度が上昇し易くなり、ＬＥＤへの投入電力を高めることが難しかった。また、カバー等の部品点数も多くなり、装置を薄く、コンパクトにすることが難しかった。
【０００７】
なお、特許文献１に記載の照明装置は、ＬＥＤユニットが装着されるユニット保持体の構造等については考慮されておらず、ＬＥＤユニットの放熱性に関して更なる改善の余地があった。
【０００８】
本発明は、かかる問題点に鑑みてなされたものであり、ＬＥＤユニットの放熱性を向上させると共に、カバー等の部品点数を少なくして、装置を薄くコンパクトにすることができる、ＬＥＤユニットが交換自在なＬＥＤ照明装置を提供することを目的とする。
【課題を解決するための手段】
【０００９】
上記目的を達成するために請求項１の発明は、ＬＥＤユニットと、該ＬＥＤユニットが装着されるユニット保持体とを備え、前記ＬＥＤユニットを交換自在としたＬＥＤ照明装置において、前記ＬＥＤユニットは、ＬＥＤを実装する基板を収納する筐体と、前記ＬＥＤに給電するための第１の電気接続部とを備え、前記ユニット保持体は、前記ＬＥＤユニットの筐体の一部が装置の外観を形成するようにＬＥＤユニットを着脱自在に保持する保持フレームと、前記第１の電気接続部に接続されると共に電源に接続される第２の電気接続部とを備えたことを特徴とする。
【００１０】
請求項２の発明は、請求項１に記載のＬＥＤ照明装置において、前記第１の電気接続部は、前記ＬＥＤユニットの筐体に形成された接点であり、前記第２の電気接続部は、前記ユニット保持体に形成された接点であり、前記ユニット保持体の保持フレームは、前記ＬＥＤユニットの前記ユニット保持体への装着時に、該ＬＥＤユニットの筐体の一部に当接してＬＥＤユニットをスライドさせつつＬＥＤユニットの保持位置までガイドするガイド部を有し、該保持位置で、接点である前記第１の電気接続部及び前記第２の電気接続部を接触させることを特徴とする。
【００１１】
請求項３の発明は、請求項１に記載のＬＥＤ照明装置において、前記ＬＥＤユニットは、前記ＬＥＤに給電する複数本の配線及び該配線を覆う中空状の配線カバーを固定する配線固定部を備え、前記配線固定部は、円筒の側面に形成された雄ネジと、該円筒の軸方向に沿って形成された、前記配線及び前記配線カバーが挿通する第１の挿通孔とを有するネジ部材と、前記ＬＥＤユニットの筐体から突出形成され、前記ネジ部材と嵌合する凹部と、前記ネジ部材の雄ネジと対向する凹部の側面に形成された雌ネジと、前記凹部の底面に形成された、前記配線が挿通する第２の挿通孔とを有する突出部と、前記配線が挿通する第３の挿通孔を有し、前記突出部の凹部に挿入されるパッキンと、前記配線カバーの先端の外径が該配線カバーの他の部分の外径より大きくなるように、配線カバーの先端に形成された鍔部とを備え、前記突出部の凹部の底面側から、前記パッキン、前記鍔部、前記ネジ部材の順に配置し、前記ネジ部材を前記凹部に嵌合することにより、前記ネジ部材で前記パッキン及び前記鍔部を押圧して、パッキンを凹部の底面に圧接すると共に、鍔部をパッキンとネジ部材で挟持して前記配線カバーを固定することを特徴とする。
【発明の効果】
【００１２】
請求項１の発明に係るＬＥＤ照明装置によれば、ＬＥＤユニットの筐体の一部が、そのまま装置の外観の一部を形成するので、ＬＥＤユニットを覆う部材点数等を削減して、装置を薄くコンパクトにすることができる。
【００１３】
また、ＬＥＤユニットの筐体の一部が直接、外気に触れるので放熱性が向上する。このため、発熱によるＬＥＤの温度上昇を抑えつつＬＥＤへの投入電力を高めることができるので、高い光出力を得ることできる。
【００１４】
請求項２の発明に係るＬＥＤ照明装置によれば、ユニット保持体の保持フレームは、ＬＥＤユニットの保持位置で、ＬＥＤユニットの筐体に形成された接点とユニット保持体に形成された接点とを直接、接触させるので、ＬＥＤユニットとユニット保持体の間の配線が不要となる。また、保持フレームのガイド部で、ＬＥＤユニットの保持位置まで、ＬＥＤユニットをガイドするのでＬＥＤユニットとユニット保持体の電気的な接続が容易となる。
【００１５】
請求項３の発明に係るＬＥＤ照明装置によれば、鍔部をパッキンとネジ部材で挟持して中空状の配線カバーを固定するので、配線を保護する配線カバーを配線固定部で確実に固定することができる。また、中空状の配線カバーを用いるので、ゴム絶縁を施した配線を更にゴム等で被覆したキャブタイヤケーブル等のような太く硬い中実線を用いる場合と比べて、線全体（配線と配線カバーにより構成される線）を細く柔らかくすることができる。
【発明を実施するための最良の形態】
【００１６】
以下、本発明の第１の実施形態に係るＬＥＤ照明装置について図１乃至図７を参照して説明する。まず、図１乃至図３を参照してＬＥＤ照明装置１の全体構成を説明する。ＬＥＤ照明装置１は、ＬＥＤユニット２と、このＬＥＤユニット２が装着されるユニット保持体３とを備えており、ＬＥＤユニット２を交換自在としている。
【００１７】
ＬＥＤユニット２は、ＬＥＤ２１を実装する基板２２を収納する筐体２０と、ＬＥＤ２０に給電するためのコネクタ（第１の電気接続部）４１ａとを備えている。筐体２０の背面には、配線Ｗ及び配線カバーＨを固定する配線固定部５が形成されており、配線固定部５に固定された配線Ｗの他端にコネクタ４１ａが取り付けられている。このように、コネクタ４１ａがＬＥＤユニット２の筐体２０の外部にあるので筐体２０をコンパクトにすることができる。なお、ＬＥＤユニット２の放熱性を向上させるために、絶縁性を有するシリコン樹脂にセラミック、鉄等の熱伝導性の高いフィラーを混ぜ合わせて熱伝導率を向上させた材料を、筐体２０の内部に充填するようにしてもよい。このようにすることにより、ＬＥＤ２０等で発生した熱を効率よく筐体２０に伝導することができる。
【００１８】
ユニット保持体３は、フロントカバー３１、アーム部３２、及びこれらが取り付けられるベース部３４を備えており、フロントカバー３１及びアーム部３２によりＬＥＤユニット２を保持する保持フレームが形成されている。図２に示されるように、フロントカバー３１は、ＬＥＤユニット２の光出射面２０ａに対向する位置に形成された開口３１ａと、フロントカバー３１の側方に形成されたボス３１ｂと、ＬＥＤユニット２を固定するための固定部（図示せず）とを有しており、ＬＥＤユニット２は、筐体２０に形成された孔２０ｂを介してネジ等でフロントカバー３１に固定される。アーム部３２は、フロントカバー３１のボス３１ｂと嵌合して、フロントカバー３１を回動自在に保持する保持部３３を備えている。フロントカバー３１及びアーム部３２は、ＬＥＤユニット２の筐体２０の一部が装置の外観を形成するようにＬＥＤユニット２を着脱自在に保持する。
【００１９】
ベース部３４は、ＬＥＤユニット２のコネクタ４１ａに接続されると共に電源（図示せず）に接続されるコネクタ（第２の電気接続部）４１ｂを、その内部に備えている。なお、以下おいては、ＬＥＤユニット２側のコネクタ４１ａとユニット保持体３側のコネクタ４１ｂを併せてコネクタ４１と示す。
【００２０】
ＬＥＤ照明装置１は、ＬＥＤユニット２をフロントカバー３１に固定し、ＬＥＤユニット２のコネクタ４１ａをユニット保持体３のコネクタ４１ｂに接続した状態で使用され、ＬＥＤユニット２とユニット保持体３を組み合わせないと、装置の外観が成り立たないように構成されている。ＬＥＤユニット２の交換の際、ＬＥＤユニット２をフロントカバー３１から外し、コネクタ４１を外すことによりＬＥＤユニット２を取り外すことができるので、ＬＥＤ照明装置１が天井等の交換作業のしづらい場所に設置された場合であっても、簡単に交換作業を行うことができる。
【００２１】
本実施形態のＬＥＤ照明装置１によれば、ＬＥＤユニット２の筐体２０の一部が、そのまま装置の外観の一部を形成するので、ＬＥＤユニット２を覆う部材点数等を削減して、装置を薄くコンパクトにすることができる。また、ＬＥＤユニット２の筐体２０の一部が直接、外気に触れるので放熱性が向上する。このため、発熱によるＬＥＤ２０の温度上昇を抑えつつＬＥＤ２０への投入電力を高めることができるので、高い光出力を得ることできる。
【００２２】
次に、図４乃至図７を参照して配線固定部５について詳述する。図４に配線固定部５の全体構成を示し、図５乃至図７に各構成を示す。配線固定部５は、ＬＥＤに給電する複数本の配線Ｗ及びこの配線Ｗを覆う中空状の配線カバーＨを固定するためのものであり、ネジ部材６、突出部７、パッキン８、及び鍔部９を備えている。なお、図４及び図７においては、後述する雄ネジ６２、及び雌ネジ７２を省略して示している。
【００２３】
ネジ部材６は、円筒の側面６１に形成された雄ネジ６２と、円筒の軸Ａの方向に沿って形成された、配線Ｗ及び配線カバーＨが挿通する第１の挿通孔６３とを有している。突出部７は、ＬＥＤユニット２の筐体２０から突出形成され、ネジ部材６と嵌合する凹部７１と、ネジ部材６の雄ネジ６２と対向する凹部の側面７１ａに形成された雌ネジ７２と、凹部の底面７１ｂに形成された、配線Ｗが挿通する第２の挿通孔７３とを有している。
【００２４】
パッキン８は、配線Ｗが挿通する第３の挿通孔８１を有し、突出部７の凹部７１に挿入される。鍔部９は、配線カバーＨの先端の外径Ｄ１が、この配線カバーＨの他の部分の外径Ｄ２より大きくなるように、配線カバーＨの先端に形成されている。本実施形態では、外径Ｄ２より大きな外径を有するリング状のスペーサ９１を配線カバーＨの先端に嵌め込むことにより、鍔部９を形成する。
【００２５】
配線固定部５で配線Ｗ及び配線カバーＨを固定する際、上述した部材を、突出部７の凹部７１の底面７１ｂ側から、パッキン８、鍔部９、ネジ部材６の順に配置し、ネジ部材６を突出部７の凹部７１に嵌合することにより、ネジ部材６でパッキン８及び鍔部９を押圧して、パッキン８を凹部７１の底面７１ｂに圧接すると共に、鍔部９をパッキン８とネジ部材６で挟持して配線カバーＨを固定する。
【００２６】
なお、図７に示されるように、配線カバーＨの先端に鍔部９を一体的に成形、又は、配線カバーＨの先端にリング状の部材を接着するなどして鍔部９を形成するようにしてもよい。配線カバーＨの先端にリング状の部材を嵌入、又は、接着して鍔部９を形成する場合には、単純な構造の部材を用いて鍔部９を形成できるのでコスト的に有利である。また、鍔部９をネジ部材６に接着するようにしてもよい。鍔部９とネジ部材６に同じゴム系の材料等、同種の材料を用いることにより、鍔部９とネジ部材６を確実に接着することができる。
【００２７】
このような配線固定部５を備えたＬＥＤ照明装置１によれば、鍔部９をパッキン８とネジ部材６で挟持して中空状の配線カバーＨを固定するので、配線Ｗを保護する配線カバーＨを配線固定部５で確実に固定することができる。また、中空状の配線カバーＨを用いるので、ゴム絶縁を施した配線を更にゴム等で被覆したキャブタイヤケーブル等のような太く硬い中実線を用いる場合と比べて、線全体（配線Ｗと配線カバーＨにより構成される線）を細く柔らかくすることができる。
【００２８】
次に、本発明の第２の実施形態に係るＬＥＤ照明装置について図８を参照して説明する。本実施形態のＬＥＤ照明装置１は、コネクタ４２が、ユニット保持体３のベース部３４の内部で接続されるのではなく、ＬＥＤユニット２の背面で接続される点で第１の実施形態と異なる。他の構成は第１の実施形態と同様である。
【００２９】
コネクタ（第１の電気接続部、第２の電気接続部）４２の構造は特に限定されるものではないが、本実施形態ではコネクタ４２が装置の外観に表れるのでＬＥＤ照明装置１の使用環境やそのデザインに応じて適宜決定される。例えば、屋外で使用される場合には、防水性を有する構造が採用される。
【００３０】
本実施形態のＬＥＤ照明装置１によれば、第１の実施形態と同様に、ＬＥＤユニット２を覆う部材点数等を削減して、装置を薄くコンパクトにすることができると共に、ＬＥＤユニット２の放熱性が向上する。また、コネクタ４２がベース部３４の外部にあるのでベース部３４をコンパクトにすることができる。
【００３１】
次に、本発明の第３の実施形態に係るＬＥＤ照明装置について説明する。図９にＬＥＤユニット装着前のＬＥＤ照明装置を、図１０にＬＥＤユニット装着時のＬＥＤ照明装置を示す。本実施形態のＬＥＤ照明装置１は、ＬＥＤユニット２及びユニット保持体３の電気接続部が接点４３ａ，４３ｂである点で上述した第１の実施形態及び第２の実施形態と異なる。なお、図１０において、ＬＥＤユニット２側の接点４３ａとユニット保持体３側の接点４３ｂを併せて接点４３として示している。
【００３２】
図９に示されるように、ＬＥＤユニット２は、筐体２０の側方に突出形成されたボス２５を備えており、ボス２５の先端には接点（第１の電気接続部）４３ａが形成されている。ユニット保持体３は、アーム部３２、及びベース部３４を備えており、アーム部３２によりＬＥＤユニット２を保持する保持フレームが形成されている。アーム部３２は、ＬＥＤユニット２のボス２５と嵌合して、ＬＥＤユニット２を回動自在に保持する保持部３３を備えており、保持部３３はバネ接点（第２の電気接続部）４３ｂになっている（図１０（ｂ）参照）。アーム部３２は、ＬＥＤユニット２の筐体２０の一部が装置の外観を形成するようにＬＥＤユニット２を着脱自在に保持する。
【００３３】
また、アーム部３２の内部には、バネ接点４３ｂからベース部３４に亘って配線Ｗ等が引かれており、ベース部３４から電源に接続される。このようなアーム部３２は、例えば、樹脂等を用いて、導体、配線Ｗ等をインサート成形等することにより作成される。また、アーム部３２に金属を用いる場合には、ダイカスト等によりアーム部３２に溝を形成し、この溝に配線Ｗを押し込むようにして、配線Ｗを見え難くするなどしてもよい。
【００３４】
本実施形態のＬＥＤ照明装置１によれば、ＬＥＤユニット２を覆う部材点数等を削減して、装置を薄くコンパクトにすることができると共に、ＬＥＤユニット２の放熱性が向上する。また、ユニット保持体３の保持フレームは、ＬＥＤユニット２の保持位置で、ＬＥＤユニット２の筐体２０に形成された接点４３ａとユニット保持体３に形成された接点４３ｂとを直接、接触させるので、ＬＥＤユニット２とユニット保持体３の間の配線が不要となる。
【００３５】
なお、本実施形態、並びに、後述する第４の実施形態及び第５の実施形態のＬＥＤ照明装置１は、ＬＥＤユニット２をユニット保持体３から外した時の安全性を考慮し、低電圧で使用する場合に特に有効である。少なくとも１００Ｖ以上で使用される場合には、ユーザが感電しないように安全装置を付加するようにする。
【００３６】
次に、本発明の第４の実施形態に係るＬＥＤ照明装置について説明する。図１１に本実施形態のＬＥＤユニットを、図１２にユニット保持体をそれぞれ示す。本実施形態のＬＥＤ照明装置１は、ユニット保持体３の保持フレームが、ＬＥＤユニットの装着をガイドするガイド部を有する点で上記第３の実施形態と異なる。
【００３７】
図１１に示されるように、ＬＥＤユニット２は、筐体２０の側方に形成された凹部２６と、この凹部２６内に取り付けられたバネ接点（第１の電気接続部）４４ａとを備えている。一方、図１２に示されるように、ユニット保持体３は、フロントカバー３１、アーム部３２、及びベース部３４を備えており、フロントカバー３１及びアーム部３２によりＬＥＤユニット２を保持する保持フレームが形成されている。
【００３８】
フロントカバー３１の内壁面３１ｃには、ＬＥＤユニット２のバネ接点４４ａに対応する位置に接点（第２の電気接続部）４４ｂが形成されている。ＬＥＤユニット２は、バネ接点４４ａをフロントカバー３１の接点４４ｂに対して若干ずらした状態でフロントカバー３１内に挿入し、バネ接点４４ａとフロントカバー３１の接点４４ｂが嵌合する位置までＬＥＤユニット２をフロントカバー３１の内壁面３１ｃに沿って回転させることにより、フロントカバー３１に装着される。このとき、フロントカバー３１の内壁面３１ｃはカイド部として機能し、内壁面３１ｃがＬＥＤユニット２の筐体２０の外周面２０ｃに当接し、ＬＥＤユニット２がこの内壁面３１ｃに沿ってスライドされることによりＬＥＤユニット２の保持位置までガイドされる。
【００３９】
アーム部３２は、フロントカバー３１のボス３１ｂと嵌合して、フロントカバー３１を回動自在に保持する保持部３３を備えており、これらフロントカバー３１及びアーム部３２は、ＬＥＤユニット２の筐体２０の一部が装置の外観を形成するようにＬＥＤユニット２を着脱自在に保持する。
【００４０】
本実施形態のＬＥＤ照明装置１によれば、第３の実施形態と同様の効果が得られるほか、フロントカバー３１の内壁面３１ｃで、ＬＥＤユニット２の保持位置までＬＥＤユニット２をガイドするので、ＬＥＤユニット２とユニット保持体３の電気的な接続が容易となる。
【００４１】
次に、本発明の第５の実施形態に係るＬＥＤ照明装置について説明する。図１３及び図１４に本実施形態のＬＥＤ照明装置を示す。本実施形態のＬＥＤ照明装置１は、ＬＥＤユニット２が円形ではない点、ユニット保持体３への装着時にＬＥＤユニット２が回動自在でない点、及びＬＥＤユニット２をユニット保持体３に固定する部材が接点と別部材である点で上記第４の実施形態と異なる。なお、図１４（ａ）において、ＬＥＤユニット２側の接点４５ａとユニット保持体３側の接点４５ｂを併せて接点４５として示している。
【００４２】
ＬＥＤユニット２は直方体状の筐体２０を備えており、筐体２０は、両側面の上方側にボス２５、下方側に楔形の凹部２７を有している。また、筐体２０の底面には接点（第１の電気接続部）４５ａが形成されている。一方、ユニット保持体３は、ベース部３４と、このベース部３４に立設された一対のアーム部３２とを備えており、このアーム部３２によりＬＥＤユニット２を保持する保持フレームが形成されている。一対のアーム部３２は、それぞれコの字状の断面を有しており、コの字の開いた部分が互いに対向するように配置されている。アーム部３２の、ＬＥＤユニット２の楔形の凹部２７に対応する位置には、ＬＥＤユニット２の装着時に、楔形の凹部２７と嵌合してＬＥＤユニット２を固定するバネ部材３５が取り付けられている。また、ベース部３４の、ＬＥＤユニット２の接点に対応する位置にはユニット保持体側の接点（第２の電気接続部）４５ｂが設けられている。
【００４３】
ＬＥＤユニット２は、ユニット保持体３の上方からアーム部３２に挿入される。このとき、アーム部３２の内壁面３２ａはガイド部として機能し、内壁面３２ａがＬＥＤユニット２のボス２５に当接し、ＬＥＤユニット２がこの内壁面３２ａに沿ってスライドされることによりＬＥＤユニット２の保持位置までガイドされる。保持位置(図１３（ｂ）の状態）において、ＬＥＤユニット２側の接点４５ａはユニット保持体３側の接点４５ｂに接続され、アーム部３２のバネ部材３５がＬＥＤユニット２の楔形の凹部２７に嵌合することにより、ＬＥＤユニット２がユニット保持体３に固定される。
【００４４】
本実施形態のＬＥＤ照明装置１によっても、第４の実施形態と同様の効果が得られる。
【００４５】
本発明は上記各種実施形態の構成に限られることなく、発明の趣旨を変更しない範囲で種々の変形が可能である。
【図面の簡単な説明】
【００４６】
【図１】本発明の第１の実施形態に係るＬＥＤ照明装置のＬＥＤユニット装着前の側面図。
【図２】同照明装置のフロントカバー及びＬＥＤユニットの斜視図。
【図３】（ａ）は同照明装置のＬＥＤユニット装着時の正面図、（ｂ）は同側面図。
【図４】同ＬＥＤユニットの配線固定部の断面図。
【図５】（ａ）は同配線固定部のネジ部材の断面図、（ｂ）は同配線固定部の突出部の断面図。
【図６】（ａ）は同配線固定部のパッキンの断面図、（ｂ）は同配線固定部の鍔部の断面図。
【図７】同配線固定部の変形例を示す断面図。
【図８】（ａ）は本発明の第２の実施形態に係るＬＥＤ照明装置の正面図、（ｂ）は同照明装置の側面図。
【図９】本発明の第３の実施形態に係るＬＥＤ照明装置のＬＥＤユニット装着前の正面図。
【図１０】（ａ）は同照明装置のＬＥＤユニット装着時の正面図、（ｂ）は同側面図。
【図１１】（ａ）は本発明の第４の実施形態に係るＬＥＤ照明装置のＬＥＤユニットの側面図、（ｂ）は同正面図。
【図１２】（ａ）同照明装置のユニット保持体の側面図、（ｂ）は同ユニット保持体のフロントカバーの背面図。
【図１３】本発明の第５の実施形態に係るＬＥＤ照明装置のＬＥＤユニット装着前の斜視図。
【図１４】（ａ）は同照明装置のＬＥＤユニット装着時の正面図、（ｂ）は同ＬＥＤユニット装着前の正面図。
【図１５】従来例に係るＬＥＤ照明装置の分解斜視図。
【図１６】従来例に係るＬＥＤ照明装置の側面図。
【図１７】（ａ）は従来例に係るＬＥＤ照明装置のＬＥＤユニットの側面図、（ｂ）は同正面図。
【符号の説明】
【００４７】
１    ＬＥＤ照明装置
２    ＬＥＤユニット
３    ユニット保持体
５    配線固定部
６    ネジ部材
７    突出部
８    パッキン
９    鍔部
２０  筐体
３１  フロントカバー（保持フレーム）
３２  アーム部（保持フレーム）
３１ｃ，３２ａ  内壁面（ガイド部）
４１ａ，４２  コネクタ（第１の電気接続部）
４１ｂ，４２  コネクタ（第２の電気接続部）
４３ａ，４４ａ，４５ａ  接点（第１の電気接続部）
４３ｂ，４４ｂ，４５ｂ  接点（第２の電気接続部）
【図１】
2006210040.tif 000003
【図２】
2006210040.tif 000004
【図３】
2006210040.tif 000005
【図４】
2006210040.tif 000006
【図５】
2006210040.tif 000007
【図６】
2006210040.tif 000008
【図７】
2006210040.tif 000009
【図８】
2006210040.tif 000010
【図９】
2006210040.tif 000011
【図１０】
2006210040.tif 000012
【図１１】
2006210040.tif 000013
【図１２】
2006210040.tif 000014
【図１３】
2006210040.tif 000015
【図１４】
2006210040.tif 000016
【図１５】
2006210040.tif 000017
【図１６】
2006210040.tif 000018
【図１７】
2006210040.tif 000019